Podtech/llm-jp-corpus-v4-ja_patent huggingface dataset:
(57)【要約】【課題】      本考案は降った雪が家の棟で積り固まる事で被害が発生する、これの解決には時間や経費と労力が必要となりしかも高所での作業から危険が予想される、しかし本案は簡単な構造で経費と労力の節約が出来又屋根に登る事なく雪おろしが出来る装置に関するものである。【解決手段】  本考案は屋根の頂上の丸味を利用して、雪は積りだし固まりとなる。屋根に登って降る度ごとの雪おろしは危険で大変である、そこで本案の板の先端が上方に突き出た特徴を持った三角錐型雪おろし装置を作成し、棟に帽子の如く被せて取り付け突き出した先端で雪を真二つにし、更に急角度の袴部分で降る先々スベリ落して解決するものである。【選択図】図２
0003133110.tif 000002
【実用新案登録請求の範囲】
【請求項１】
金属又は硬化プラスチック等で作成した棟幅の板二枚を急角度の山型に組み、その頂上から板一枚が上の方に突き出た形の三角錐を作成し棟に帽子の如く被せたことを特徴とする、雪下ろし装置。
【考案の詳細な説明】
【技術分野】
【０００１】  本考案は、屋根の分水嶺の丸味を利用して雪は付着し積って固まり出す、そこで板一枚を上の方に突き出す形に取り付けた三角錐で雪おろしをする事に関するものである。
【背景技術】
【０００２】  雪国に限らず屋根は、雨水用の為緩やかな傾斜である、雪は物に付着する性質があり分水嶺の丸みを利用し積ってしまう。放置すれば家が埋没や倒壊の恐れが在るため、昔からの習わしで  各人危険と知りながら必要に迫られ、屋根に登って  スコップやダンプ等の機材を使い雪おろしが日課であつた。
【考案の開示】
【考案が解決しようとする課題】
【０００３】  上記雪積の状況と更に落雪防止の雪留めの作用によって一段と増加した雪を、高くて危険な屋根に登る事なく雪おろしをすることにある。
【課題を解決するための手段】
【０００４】  屋根に降った雪が頂上の分水嶺で積り固まる事が原因であるため、金属又は硬化プラスチック等で作成の板三枚の内二枚を、急角度の山型に組みこの頂上から残りの板一枚を上の方に突き出した形に取り付け、先が突き出した形の特徴を持った三角錐を作成し帽子の如く棟にかぶせる、この上の方に突き出した板一枚によって降る雪を棟のところで二分し急角度の山型で下方へ落下させる装置である。又帽子内側に熱線ヒーターの配置と雪おろしの支障となる雪留めは上から鉄板を被せる事で問題点が解決される。
【考案の効果】
【０００５】  本考案は上記の通り屋根の分水嶺に取り付けた、先端が突き出した形の特徴を持つ三角錐型帽子の突き出した板一枚によって、屋根に付着せんとする雪を棟の所で真二つにして、左右に振り分け滑り落し更に内部のヒーターで融雪を促し急角度の山型部分で下方に落下させる装置であり急角度の為、雪は降る先々から落下していく結果毎日の降雪でも少しの人力で雪おろしができる効果がある、又雪おろしの支障となる雪留めは上から鉄板を被せることで解決できる。
【考案を実施するための最良の形態】
【実施の形態】
【０００６】  家の棟と平行した長さの金属又は硬化プラスチック等で作成した板三枚の内二枚を、自然に雪が滑り落ちる急角度の山型に組、以下袴部分と呼ぶ、この頂上から残り一枚の板を上の方に突き出した形の垂直板として取り付け以下垂直板と呼ぶ、突き出した先端を持つ三角錐型帽子にして棟にかぶせる。又雪が滑り落ちやすくなるよう帽子内側に熱線ヒーターを配線し、外部で  オンオフを可能にしておく。この帽子の先端の突き出した垂直板によって棟の所で雪は真二つにされ左右に振り分けられ、ヒーターでの融雪と、急角度の袴部分によって雪は降る先々自然に落下していく仕組みで、装置が簡単で単位制の為取り付け易いのが利点となる。ここで雪留めが本案のネックであるが金属の板を上から被せ屋根の角度と同一にすれば上記袴部分で滑り落された雪は更にその上をスベリ落ちてゆき解決される。
【実施例】
【０００７】  以下添付図面に従い一実施例を説明する。１は、屋根の分水嶺に取り付けた先端が突き出した形の雪下ろし装置本体で、長さは概ね棟幅とし厚さは２〜５ｍｍの金属又は硬化プラスチック等で作成され、山型の袴部分  ４と、垂直板  ３と、での構成となる、作業面から単位制とし  ４は一単位を長さ  １８００ｍｍ高さ７００〜１３００ｍｍとし  ３は長さ  １８００ｍｍ高さ３００〜５００ｍｍとするが必要によって単位を増加していく。  ２は、棟に本体を取り付ける為の枕木で棟幅とし  １５×１５ｍｍの鉄製角棒である。  ５は、雪の落下をコントロールする為に帽子内側に取り付けた熱線ヒーターで、切り忘れ防止ブザー付きである。
【図面の簡単な説明】
【０００８】
【図１】  本考案の先端が突き出した型の雪おろし装置正面図である。
【図２】  本考案の先端が突き出した型のゆきおろし装置の一部切欠側面図である。
【符号の説明】
１    雪おろし装置本体
２    本体を取り付ける枕木
３    本体の垂直板
４    本体の袴部分
５    融雪用ヒーター
【図１】
0003133110.tif 000003
【図２】
0003133110.tif 000004
【手続補正書】
【提出日】平成19年3月29日(2007.3.29)
【手続補正１】
【補正対象書類名】実用新案登録請求の範囲
【補正対象項目名】全文
【補正方法】変更
【補正の内容】
【実用新案登録請求の範囲】
【請求項１】
金属又は硬化プラスチック等で作成した棟幅の板二枚を急角度の山型に組み、その頂上から板一枚が上の方に突き出た形状を作成し棟に帽子の如く被せた事を特徴とする、雪おろし装置。
(57)【要約】【課題】従来のワイヤー用ケースは主に販売時に付属している簡易なもので、ワイヤーを引き出す際や、使用後に余ったワイヤーを巻き取る際に、ワイヤーをリールごとケースから取り出す必要がある。その際に絡まる場合が多々あり不便である。その不都合を解決しようとしたものである。【解決手段】ワイヤー用ケース本体１の側面にワイヤーを引き出す小穴３をあけ、ふた２の上部にワイヤーを巻き取る際に指でリールを回すための開口部４を設けることにより、この課題を解決する。【選択図】図１
0003133102.tif 000002
【実用新案登録請求の範囲】
【請求項１】
ワイヤーを通す小穴を開けたことを特徴とするワイヤー用ケース。
【請求項２】
指でリールを回すための開口部を設けたことを特徴とするワイヤー用ケース。
【考案の詳細な説明】
【技術分野】
【０００１】本考案は、ワイヤー用ケースの形状に関する。
【背景技術】
【０００２】従来のワイヤー用ケースは主に販売時に付属している簡易なもので、保管を主な目的とし、使用時の利便性を特に考慮したものではない。
【考案の開示】
【考案の解決しようとする課題】
【０００３】しかし、これではワイヤーを引き出す際や、使用後に余ったワイヤーを巻き取る際に、ワイヤーをリールごとケースから取り出す必要がある。その際、端をきちんと止めていないと、細いワイヤーはその張りのため巻きがほどけて広がり、絡まる場合が多々あり、そのため折れ、ねじれ等のダメージを受けることがある。また使用中もその都度テープで固定する等工夫しないと、上記と同様、巻きがゆるんできてしまい不便である。
【課題を解決するための手段】
【０００４】以上の課題を解決するために、請求項１の考案は、ケース本体の側面にワイヤーを通す小穴を開けたことを特徴とするワイヤー用ケースである。これにより、一度ワイヤーを小穴から引き出しておけば、使用時にいちいちリールをケースから出さなくてもよく、またケースから出した時に起こりやすい、ワイヤーがほどけて絡まる等のトラブルを防止することができる。
【０００５】また請求項２の考案は、ケース上部のふたの部分に開口部を設けたことを特徴とするワイヤー用ケースである。ワイヤー使用後に引き出しすぎたワイヤーを巻き取る際、ワイヤーを巻いたリールをケースから出すことなく、その開口部から指でリールを回し、巻き取ることができる。このためワイヤーがほどけて絡まるのを防止することができるものである。
【考案の効果】
【０００６】  よって本考案のワイヤー用ケースにより、クラフト、アクセサリー制作などでワイヤーを使用する際、ワイヤーの巻きがゆるんだり、絡んだりすることを防ぐことができる。また、ワイヤーの引き出しや巻取りをスムーズに行うことができる。
【考案を実施するための最良の形態】
【０００７】    本考案に係るワイヤーケース１は、図１に示すように側面にワイヤーを引き出す小穴３を備えている。また、ふた２の上面に、ワイヤーを巻き取る際指を入れることができる開口部４を備えている。  素材はプラスチックで形成することが望ましく、ワイヤー用ケースの大きさは中に入れるリールの大きさに応じて決めればよい。
【図面の簡単な説明】
【０００８】
【図１】本考案の形態を示す斜視図である。
【符号の説明】
【０００９】    １、ワイヤー用ケース本体        ２、ふた
３  側面部小穴                  ４、上面開口部
【図１】
0003133102.tif 000003
【手続補正書】
【提出日】平成19年3月30日(2007.3.30)
【手続補正１】
【補正対象書類名】実用新案登録請求の範囲
【補正対象項目名】全文
【補正方法】変更
【補正の内容】
【実用新案登録請求の範囲】
【請求項１】
ワイヤーを通す小穴を開けたことを特徴とするワイヤー用ケース。
【請求項２】
指でリールを回すための開口部を設けたことを特徴とする請求項１記載のワイヤー用ケース。
(57)【要約】      （修正有）【課題】彫刻とＬＥＤを用いた看板、ピクトサイン、装飾体と印刷した物の内側から照射する内照式の看板、ピクトサイン、装飾体の双方の短所を補う看板、ピクトサイン、装飾体を提供する。【解決手段】同一データ（写真等の素材を含む）を用いて１枚もしくは複数枚の素材に印刷、彫刻を施した物を重ねる。１枚の場合は透明素材１の表面と裏面を使用し、複数枚の場合は表側にくる素材５に印刷、裏側にくる素材６に彫刻を施した物の順で重ねて端面よりＬＥＤで照射する。【選択図】図２
0003133107.tif 000002
【実用新案登録請求の範囲】
【請求項１】
同一データ（写真等の素材を含む）を用いて、１枚の場合は透明素材の表面に直接印刷、もしくは別の透明素材に印刷した物を重ね、裏面に彫刻を施し、端面からＬＥＤで照射し、複数枚の場合は表側に透明素材に直接印刷、もしくは別の透明素材に印刷して透明素材に重ねた物、裏側に透明素材に彫刻した物を重ね、端面よりＬＥＤで照射する形態の看板、ピクトサイン、装飾体。
【考案の詳細な説明】
【技術分野】
【０００１】  本考案は、印刷、彫刻、ＬＥＤを用いた装飾体に関するものである。
【背景技術】
【０００２】  従来、透明素材のものに彫刻を施し、ＬＥＤ等の発光体を用いて照射して利用するというものはある。【０００３】  また、素材に直接印刷したり、別の素材に印刷したものを重ねて内側から照射する形態の看板、ピクトサインや装飾体として利用するものはある。
【考案の開示】
【考案が解決しようとする課題】
【０００４】  解決しようとする問題点は、透明素材に彫刻を施し、ＬＥＤ等の発光体を用いて照射して看板、ピクトサインや装飾体として利用する場合は周囲の明るさにより見えづらいかったり、色が限定される場合があり、また、様々な素材に直接印刷したり、別の素材に印刷したものを重ねて内側から照射する形態の看板、ピクトサインや装飾体は全体的に光るため、主に意図する部分を目立たせることが難しい。
本考案は、この点に着目し、双方の短所を補う新しいタイプの看板、ピクトサイン、装飾体として利用できるものである。
【課題を解決するための手段】
【０００５】  同一データ（写真等の素材を含む）を用いて１枚もしくは複数枚の素材に印刷、彫刻を施したものを重ねる。１枚の場合は、透明素材１の表面２に直接印刷、もしくは別の透明素材に印刷したものを重ね、裏面３には彫刻を施し、端面よりＬＥＤ４で照射する（図１）。複数枚の場合は、表側に透明素材に直接印刷したもの５、もしくは別の透明素材に印刷して透明素材に重ねたもの、裏側に彫刻を施したもの６を重ね、端面よりＬＥＤ７で照射する。尚、複数枚の場合は、印刷面（重ねた場合も含めて）は５ａ、５ｂどちらでもよく、彫刻面も６ａ、６ｂのどちらでもよい（図２）。ＬＥＤを照射する端面は下部８、上部９、側面部１０、１１の何れか一方、もしくは複数方向のどの方向からでもよい（図３）。
本考案は、以上の構成よりなる装飾体ある。
【考案の効果】
【０００６】  本考案により製作された看板、ピクトサイン、装飾体は、周囲が明るい状態の時は表側の印刷面が見え、周囲が暗い状態の時は主に彫刻が施された画像や文字、イラスト等がＬＥＤで照射され見える。さらに周囲の明るさの度合い、もしくはＬＥＤの明るさの度合いにより、表側の印刷、裏面の彫刻を施された部分の両方を見ることができる等、表面の見え方がかわってくる。ＬＥＤの明るさの度合いで印刷面と彫刻が施された部分を見ることができる場合は、彫刻が施された部分がＬＥＤで照射され明るく輝くので、その箇所のみならず周囲をも光らすので装飾体として様々な楽しみ方ができるだけでなく、同一データ（写真等の素材を含む）を使用し、彫刻を施した箇所のみを光らせることができるという点をみれば看板やピクトサインとして利用すれば訴求効果があり、インパクトを与えることができる。【０００７】  さらに、内側から照射する形態のものは多くが単一色（印刷面を見せるためには蛍光灯やＬＥＤであっても白色や電球色が多い）であるのに対し、本考案では彫刻を施した箇所を光らせることが目的であるため、様々な色のＬＥＤを使ったり、グラデーションのような変化のあるＬＥＤを使用することも可能である。それにより表面の色がＬＥＤの色と重なり合って違う印象を与えることができ、表現の幅が広がる。
【考案を実施するための最良の形態】
【０００８】  以下、本考案の実施の形態を説明する。
１枚の場合は、図１に示すように、透明素材１の表面２に直接印刷、もしくは別の透明素材に印刷した物を重ね、裏面３にはレーザー加工機や電動ルーター等を用いて彫刻を施し、端面よりＬＥＤ４で照射する。複数枚の場合は、図２で示すように、表側に透明素材に直接印刷したもの５、もしくは別の透明素材に印刷して透明素材に重ねたもの、裏側に透明素材にレーザー加工機や電動ルーター等を用いて彫刻を施したもの６の順で重ね、端面よりＬＥＤ７で照射する。尚、複数枚の場合は、印刷面（重ねた場合も含めて）は５ａ、５ｂどちらでもよく、彫刻面も６ａ、６ｂのどちらでもよい。
本考案は、以上の構成よりなる。
【図面の簡単な説明】
【０００９】
【図１】本考案１枚の場合の断面図である。
【図２】本考案複数枚の場合の断面図である。
【図３】本考案ＬＥＤ照射方向の斜視図である。
【符号の説明】
【００１０】        １・・・透明素材
２・・・透明素材表面
３・・・透明素材裏面
４・・・ＬＥＤ
５・・・透明素材に印刷したもの
６・・・透明素材に彫刻を施したもの
７・・・ＬＥＤ
８・・・素材端面下部
９・・・素材端面上部
１０・・・素材端面側面部
１１・・・素材端面側面部
【図１】
0003133107.tif 000003
【図２】
0003133107.tif 000004
【図３】
0003133107.tif 000005
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
写真等の素材を含む同一データを用いて、透明素材の表面に直接印刷、もしくは別の透明素材に印刷した物を重ね、裏面または別の透明素材に彫刻を施し、端面からＬＥＤで照射する形態の装飾品。
(57)【要約】      （修正有）【課題】不織布からなるが、平面状だけでなく、立体感もある自動車用内装材を提供する。【解決手段】内外両面を有する平面状であって、その外面１２が絨毛様になるうえ、その外面に押型紋１２１が分布している不織布１を提供し、それにより、平面状の不織布１からなり、且つその外面１２が絨毛様になるうえ、その外面に押型紋１２１が分布している自動車用内装材をも提供する。【選択図】図１
0003133109.tif 000002
【実用新案登録請求の範囲】
【請求項１】
内外両面を有する平面状であって、その外面が絨毛様になるうえ、その外面に押型紋が分布していることを特徴とする不織布。
【請求項２】
内外両面を有する平面状の不織布からなり、その外面が絨毛様になるうえ、その外面に押型紋が分布していることを特徴とする自動車用内装材。
【請求項３】
内外両面を有する平面状の不織布からなり、その外面が絨毛様になるうえ、その外面に押型紋が分布して格子縞になっていることを特徴とする自動車用内装材。
【請求項４】
前記押型紋は前記格子縞の格子目になっており、残った絨毛様は前記格子縞の格子枠になっていることを特徴とする請求項２に記載の自動車用内装材。
【考案の詳細な説明】
【技術分野】
【０００１】
本考案は、不織布及びそれからなる自動車用内装材に関し、特に平面状であって、その外面が絨毛様になっている不織布及びそれからなる自動車用内装材に関する。
【背景技術】
【０００２】
従来から、自動車用内装材として、天然皮革、合成皮革、不織布などが使用されている。
【０００３】
前記内装材は、それぞれ特有の質感があるが、いずれもモノトーンであり、図３に示す不織布２を例として挙げれば、その外面２１が絨毛様になっているので、柔軟性が良いが、絨毛様とは言え、やはり平面状になっていて立体感に乏しい。
【考案の開示】
【考案が解決しようとする課題】
【０００４】
本考案は、不織布からなるが、平面状だけでなく、立体感もある自動車用内装材を提供することをその課題とする。
【課題を解決するための手段】
【０００５】
前記課題を解決するために、本考案は、まず、内外両面を有する平面状であって、その外面が絨毛様になるうえ、その外面に押型紋が分布している不織布を提供し、それにより、前記平面状の不織布からなり、その外面が絨毛様になるうえ、且つその外面に押型紋が分布している自動車用内装材をも提供する。
【考案の効果】
【０００６】
前記構成による不織布及び自動車用内装材は、まず、その外面に絨毛様と押型紋とが混じっているので、絨毛様の立ち上がりと押型紋の沈み下がりとの段差により、立体的な感じが極めて強い。
【０００７】
また、前記構成による不織布及び自動車用内装材は、その表面の絨毛様の立ち上がりと押型紋の沈み下がりとの組み合わせによって幾何図形が更に強調されると、立体的な感じがもっと強くなる。
【考案を実施するための最良の形態】
【０００８】
以下、本考案に関する不織布及びこれからなる自動車用内装材の好適な実施形態を、図面を参照しながら説明する。なお、図中、類似する部分には、同一の参照符号を付する。
【０００９】
まず、図１及び図２を参照しながら本考案の実施形態の不織布及びそれからなる自動車用内装材を説明する。
【００１０】
図１に示すように、本考案の自動車用内装材は、内面１１と外面１２を有する平面状の不織布１からなり、且つその外面１２が絨毛様になるうえ、それにロールプレス加工により押型紋１２１が分布している。
【００１１】
内面１１は、のり付け加工により、不織布１のもともとの絨毛様がなくなり平らになっているので、自動車の内装面に良好に装着できる。
【００１２】
そして、外面１２には、押型紋１２１が分布しているが、不織布１のもともとの立ち上がるような絨毛様が残っている。
【００１３】
図２をみてみると、この実施形態においては、その外面１２に残っている絨毛様は縦横の格子枠１２２になっているので、その押型紋１２１は、格子枠１２２内に区切られた沈み下がりの格子目になっており、全体は格子縞のような幾何図形になっている。
【００１４】
このような構成による自動車用内装材は、図示のように、その外面１２に絨毛様と押型紋とが混じって絨毛様の立ち上がりと押型紋の沈み下がりとの間に段差があるうえ、絨毛様の立ち上がりと押型紋の沈み下がりとの組み合わせによって幾何図形が強調されるので、立体的な感じが極めて強い。
【００１５】
本考案は、その精神及び必須の特徴事項から逸脱することなく他の構成で実施することができる。従って、本明細書に記載した好ましい実施形態は例示的なものであり、限定的なものではない。
【００１６】
前記のように、前記構成による不織布及び自動車用内装材は、立体的な感じが極めて強いので、自動車内の美観を高めることができる。
【図面の簡単な説明】
【００１７】
【図１】本考案の不織布からなる自動車用内装材の横断面図。
【図２】本考案の不織布からなる自動車用内装材の平面図。
【図３】従来の不織布からなる自動車用内装材の横断面図。
【符号の説明】
【００１８】
１  不織布
１１  内面
１２  外面
１２１  押型紋
１２２  格子枠
【図１】
0003133109.tif 000003
【図２】
0003133109.tif 000004
【図３】
0003133109.tif 000005
【手続補正書】
【提出日】平成19年4月20日(2007.4.20)
【手続補正１】
【補正対象書類名】実用新案登録請求の範囲
【補正対象項目名】請求項４
【補正方法】変更
【補正の内容】
【請求項４】
前記押型紋は前記格子縞の格子目になっており、残った絨毛様は前記格子縞の格子枠になっていることを特徴とする請求項３に記載の自動車用内装材。
(57)【要約】【課題】別体のイヤホンと着脱可能に組み合わせることができる耳掛けの提供。【解決手段】人の耳形状に湾曲したフレーム２０１より成り、フレーム２０１の上部に耳の上部裏面に引っ掛ける上ハンガー部２０１１が形成されると共に、上ハンガー部２０１１の下方に耳の裏面に沿う下ハンガー部２０１２が形成され、フレーム２０１の長手方向に沿って、イヤホン３０のケーブル３０２と着脱自在に係合する凹溝２０２が形成され、凹溝２０２は、フレーム２０１の両端面及び側面側に開口し、凹溝２０２の側面側の開口幅はイヤホン３０のケーブル３０２の直径よりも小さくしてある。【選択図】図２
0003133189.tif 000002
【実用新案登録請求の範囲】
【請求項１】
人の耳形状に湾曲したフレームより成り、該フレームの上部に耳の上部裏面に引っ掛ける上ハンガー部が形成されると共に、該上ハンガー部の下方に耳の裏面に沿う下ハンガー部が形成され、前記フレームの長手方向に沿って、イヤホンのケーブルと着脱自在に係合する凹溝が形成され、該凹溝は、前記フレームの両端面及び側面側に開口し、該凹溝の側面側の開口幅は前記イヤホンのケーブルの直径よりも狭くしてあることを特徴とした耳掛け。
【考案の詳細な説明】
【技術分野】
【０００１】
本考案は、耳に掛けてイヤホンを支持する耳掛けに関する。
【背景技術】
【０００２】
一般的な耳掛けは、イヤホンと一体に成形され、一端にスピーカーが設けられると共に、他端からケーブルが延伸されている。
即ち、図１に示すように、従来の耳掛け付きイヤホン１０は、耳掛け本体１０１、ケーブル１０２及びスピーカー１０３から成る。
耳掛け本体１０１は、使用者の耳の裏側に掛け回され、その一端にスピーカー１０３が組み込まれ、このスピーカー１０３を耳孔内に挿入するようになっている。ケーブル１０２は耳掛け本体１０１の他端から延伸され、その先端が外部の再生装置に接続される。
【０００３】
このような耳掛け付きイヤホン１０は、頭部に被せるヘッドホンに比べて嵩張らないが、スピーカー１０３及びケーブル１０２が耳掛け本体１０１と一体に成形されているので、保管時にはケーブル１０２を耳掛け本体１０１に巻き付けてコンパクトにすることが多い。このため、ケーブル１０２が強く引っ張られて破損しやすい。
また、ケーブルとその先端に装着されたスピーカーとから成り、耳掛けを有しないイヤホンもあるが、使用時にケーブルが垂れ下がって物品に引っかかる虞がある。
【考案の開示】
【考案が解決しようとする課題】
【０００４】
本考案が解決しようとする課題は、別体のイヤホンと着脱可能に組み合わせることができる耳掛けを提供することにある。
【課題を解決するための手段】
【０００５】
本考案の耳掛けは、人の耳形状に湾曲したフレームより成り、該フレームの上部に耳の上部裏面に引っ掛ける上ハンガー部が形成されると共に、該上ハンガー部の下方に耳の裏面に沿う下ハンガー部が形成され、前記フレームの長手方向に沿って、イヤホンのケーブルと着脱自在に係合する凹溝が形成され、該凹溝は、前記フレームの両端面及び側面側に開口し、該凹溝の側面側の開口幅は前記イヤホンのケーブルの直径よりも狭くしてある。
【考案の効果】
【０００６】
本考案によれば、イヤホンを使用しないときは、耳掛けとイヤホンとを分離して保管することができるので、イヤホンのケーブルを耳掛けに巻きつけることにより、ケーブルが断裂するのを防ぐことが可能であり、イヤホンに不具合が発生した時は、イヤホンのみを交換することができる。
【考案を実施するための最良の形態】
【０００７】
以下、本考案の実施例を図面に基づいて詳細に説明する。
図２に示すように、本考案の耳掛け２０は、弾性を有するプラスチック等を素材とし、人の耳形状に湾曲したフレーム２０１より成る。フレーム２０１の上部には、耳の上部裏面に引っ掛ける上ハンガー部２０１１が形成され、上ハンガー部２０１１の下方に耳の裏面に沿う下ハンガー部２０１２が連続して形成されている。
また、フレーム２０１の長手方向に沿って、イヤホン３０のケーブル３０２と着脱自在に係合する凹溝２０２が形成される。凹溝２０２は、フレーム２０１を全長に亘って貫通し、フレーム２０１の両端面及び側面側に開口している。凹溝２０２の側面側の開口幅は、ケーブル３０２の直径よりも狭くしてある。
【０００８】
この耳掛け２０をイヤホン３０へ取り付ける時は、凹溝２０２の側面側の開口を押し広げて、ケーブル３０２の一部を凹溝２０２内へ挿入する。常態においては、フレーム２０１の側面側の開口幅はケーブル３０２の直径より狭いので、ケーブル３０２が凹溝２０２から脱出することはない。
また、フレーム２０１の一端面（上ハンガー部２０１１側の端面）の開口部２０１３から引き出されたケーブル３０２の先端にはスピーカー３０１が装着され、他端面（下ハンガー部２０１２側の端面）の開口部２０１４から引き出されたケーブル３０２は、外部の再生装置へ接続される。
【０００９】
イヤホン３０を使用する際は、図３に示すように、耳掛け２０をイヤホン３０に取り付けてから、フレーム２０１の上ハンガー部２０１１を耳の上端に裏側から引っ掛け、下ハンガー部２０１２を耳の裏側に掛け回し、上ハンガー部２０１１と下ハンガー部２０１２によって耳を挟持する。
フレーム２０１は、弾性のある素材より成り、耳の形状に応じて湾曲しているので、耳に密着してしっかりと固定され、しかも、耳を過度に締付けて不快感を与える心配もない。
【００１０】
また、このように耳掛け２０を介してイヤホン３０を使用すると、ケーブル３０２が垂れ下がって物品に引っかかることがない。
イヤホン３０を使用しないときは、ケーブル３０２を凹溝２０２から取り出し、イヤホン３０と耳掛け２０とを分離して保管する。これにより、ケーブル３０２を耳掛け２０に巻き付けて保管することによるケーブル３０２の破損を防ぐことができる。
【図面の簡単な説明】
【００１１】
【図１】従来の耳掛け付きイヤホンの斜視図。
【図２】本考案の実施例を示す耳掛け及びイヤホンの斜視図。
【図３】本考案の実施例を示す耳掛けの使用状態における斜視図。
【符号の説明】
【００１２】
２０  耳掛け
２０１  フレーム
２０１１  上ハンガー部
２０１２  下ハンガー部
２０１３，２０１４  開口部
２０２  凹溝
３０  イヤホン
３０１  スピーカー
３０２  ケーブル
【図１】
0003133189.tif 000003
【図２】
0003133189.tif 000004
【図３】
0003133189.tif 000005
(57)【要約】【目的】  洋式便器蓋に保温機能を付加すると、洋式便器蓋を保温するだけではなく、洋式便座や洋式便器の内部も保温されるので消費電力の節約ができて、しかも快適に使用できる。【構成】  下層には断熱効果と滑り止め効果のある発泡ポリエチレンシートで、その上層には装飾され滑り止め効果のあるアルミ蒸着フイルムを接着した省エネ保温シートであり、この省エネ保温シートを裁断し、洋式便器蓋に洋式便器蓋保温カバーとして装着すると、洋式便器蓋と便座と便器内を保温することを特徴とした洋式便器蓋保温カバーとする。【選択図】図１
0003133181.tif 000002
【実用新案登録請求の範囲】
【請求項１】
洋式便器蓋保温カバー（４）の素材には省エネ保温シートを使用する、該省エネ保温シートの構造は、下層に断熱効果と滑り止め効果のある発泡樹脂シートで、該発泡樹脂シートの上層には装飾され滑り止め効果のあるアルミ蒸着フイルムを接着した状態のシートである、該省エネ保温シートを裁断し洋式便器蓋（３）に洋式便器蓋保温カバー（４）とした構造、又は、洋式便器蓋（３）に省エネ保温効果のある発泡樹脂シート素材等を合体した構造であり、該省エネ保温シートを洋式便器蓋（３）に装着若しくは、合体すると洋式便器蓋（３）と便座（２）と便器内を保温できる、ことを特徴とした洋式便器蓋保温カバー。
【請求項２】
省エネ保温シートの裁断は、洋式便器蓋（３）の形状や形式等で形状が多様であるから、形状に整合するように裁断したことを特徴とした請求項１記載の洋式便器蓋保温カバー。
【請求項３】
省エネ保温シートを、洋式便器蓋（３）の形状に整合するよう裁断するには、洋式便器蓋（３）の形状の型紙を省エネ保温シートに印刷したことを特徴とした請求項１記載の洋式便器蓋保温カバー。
【請求項４】
洋式便器蓋保温カバー（４）の本体は盛りあがるようなドーム状としたことを特徴とした請求項１記載の洋式便器蓋保温カバー。
【請求項５】
洋式便器蓋（３）と洋式便器蓋保温カバー（４）の接着には接着剥離し易い両面テープを用いたことを特徴とした請求項１記載の洋式便器蓋保温カバー。
【請求項６】
洋式便器蓋保温カバー４を洋式便器蓋３の蓋体に直接合体させたことを特徴とした請求項１記載の洋式便器蓋保温カバー。
【考案の詳細な説明】
【技術分野】
【０００１】  本考案は、洋式便器蓋の保温カバーに関し、省エネ保温シートを使用して洋式便器蓋保温カバーの技術に関する。
【背景技術】
【０００２】  洋式便器蓋保温カバーとして実用化又は、販売されているものは無いと思われる、ただし、保温カバーではないが防滑樹脂としてウレタン樹脂を使用する内容のものが有る。【０００３】
【特許文献１】特開２００１−３２７４３６（Ｐ２００１−３２７４３６Ａ）
【考案の開示】
【考案が解決しようとする課題】
【０００４】  寒冷地用の洋式便器には暖房機能が備えられている、更に、便座にも暖房機能が装備され、冬期間は、常に便座が暖房されているので消費電力が多くなる、洋式便器蓋に保温機能を付加することで洋式便器蓋を保温するたけではなく、便座や洋式便器の内部も保温されるので消費電力の節約ができて、しかも快適に使用できるように解決する。
【課題を解決するための手段】
【０００５】  請求項１記載の洋式便器蓋保温カバー４の素材には省エネ保温シートを使用する、省エネ保温シートの構造は、下層に断熱効果と滑り止め効果のある発泡樹脂シートで、その上層には装飾され滑り止め効果のあるアルミ蒸着フイルムを接着した状態のシートであり、この省エネ保温シートを裁断し洋式便器蓋３に洋式便器蓋保温カバー４として装着する。【０００６】  請求項２記載の省エネ保温シートの裁断は、洋式便器蓋２の形状や、形式等で形状が多様であるから、形状に整合するように裁断することを特徴とした請求項１記載の洋式便器蓋保温カバー４としたものである。【０００７】  請求項３は省エネ保温シートを、洋式便器蓋２の形状に整合するよう裁断するには、洋式便器蓋３の形状の型紙を省エネ保温シートに印刷したことを特徴とした請求項１記載の洋式便器蓋保温カバーとしたものである。【０００８】  請求項４は、洋式便器蓋保温カバー４の全体を盛りあがるようなドーム状としたことを特徴とした請求項１記載の洋式便器蓋保温カバーとしたものである。【０００９】  請求項５は、洋式便器蓋３と本考案の便器蓋保温カバー４の接着剥離には接着剥離し易い両面テープを用いたことを特徴とした請求項１記載の洋式便器蓋保温カバー４としたものである。【００１０】請求項６は、洋式便器蓋保温カバー４を洋式便器蓋３の蓋体に直接合体させ一体成形することで、外観と保温性がよくなる、ことを特徴とした請求項１記載の洋式便器蓋保温カバー４としたものである。
【考案の効果】
【００１１】  以上、本考案の洋式便器蓋保温カバー４を洋式便器蓋３に装着すると、洋式便器蓋３を保温するだけでなく、便座２や便器１内の暖気を外部に逃がすとことが少なくなり、気分よく使用できて、消費電力を少なくし、節電効果もある。
【考案の実施形態】
【００１２】  図１は、本考案の全体の実施形態を示す、洋式便器蓋保温カバー４の構造は、下層に断熱効果と滑り止め効果の発泡ポリエチレンシートで、上層にアルミ蒸着フイルムを接着した構造の省エネ保温シートを使用し、その省エネ保温シートを洋式便器蓋の形状に似せた形状に裁断する、裁断した省エネ保温シートは洋式便器蓋保温カバー４として、洋式便器蓋３の上面又は下面に装着する、洋式便器蓋３と洋式便器蓋保温カバー４の接着には接着しやすく、剥離しやすい両面接着テープとする。
【００１３】  洋式便器蓋３の形状は、メーカーや形式等で形状が多様であるから、メーカーや形式等の形状に整合するように省エネ保温シートをハサミ又は、カッターで裁断する。
【００１４】省エネ保温シートを、洋式便器蓋３の形状に整合するよう裁断するには、洋式便器蓋３の形状に型紙を作り、省エネ保温シートに印刷する。
【００１５】  図２は、洋式便器蓋保温カバー４の全体を盛りあがるようなドーム状に装着した状態の断面図であり、ドーム状にすることで暖気を包むように保温する。
【００１６】  洋式便器蓋保温カバー４の周縁部分にスカート状の素材を設けると、更に、保温効果があり節電される。
【００１７】  洋式便器蓋３と本考案の便器蓋保温カバー４の接着剥離は接着しやすく剥離しやすい両面テープを用いるとよい。
【００１８】  洋式便器蓋３に保温効果のある省エネ保温シート素材を洋式便器蓋３の蓋自体に一体成形することで、外観と保温性がよくなる。
【００１９】  洋式便器蓋保温カバー４を洋式便器蓋３の下面に装着する際は、洋式便器蓋３面に発泡ポリエチレン面を装着し、アルミ蒸着フイルム面を下面としてもよい。
【産業上の利用可能性】
【００２０】  電力を使って保温する製品は数多く存在する、保温製品の安全性や性能を損なうことのない製品には、省エネ保温カバーを被えば消費電力を少なくし、節電効果がある。
【図面の簡単な説明】
【００２１】
【図１】  この考案の実施例で全体を示す斜視図である。
【図２】  この考案の洋式便器蓋と洋式便器蓋カバーの鎖線ＡＢの断面図である。
【符号の説明】
【００２２】１    洋式便器
２    便座
３    洋式便器蓋
４    洋式便器蓋保温カバー
【図１】
0003133181.tif 000003
【図２】
0003133181.tif 000004
(57)【要約】   【課題】本考案は、多数のスリットが入った板に使用済みポリ袋を折り畳む事で生じる弾力性を利用して側面よりスリットに差し込み壁面又は家具等に取り付けて保持整理する。   【解決手段】支持具８と支え板４により支えられている長方形状の取り付け板６に多数のスリット３が入ったスリット板２を設け、側面より使用済みポリ袋を折り畳んで差し込み、再使用する時は側面より引き出す、先端には余った使用済みポリ袋を入れて掛けるフック１を設け、使用済みポリ袋を折り畳む事により生じる弾力性を利用して保持力を保ち保持整理する。        【選択図】図１
0003133140.tif 000002
【実用新案登録請求の範囲】
【請求項１】
壁面、又は家具等に取り付けて、使用済みポリ袋を折り畳む事により生じる、弾力性を利用してスリット板に差し込み、先端を左右に押す事により回転し、保持整理することを特徴とする使用済みポリ袋保持具。
【考案の詳細な説明】
【技術分野】
【０００１】
本考案は、スリット板に使用済みポリ袋を折り畳む事により生じる、弾力性を利用して差し込み保持整理する使用済みポリ袋保持具に関するものである。
【背景技術】
【０００２】
使用済みポリ袋は、袋か箱の中に、丸めるか、折り畳むか、結んで入れていた。
【考案の開示】
【考案が解決しようとする課題】
【０００３】
使用したい、使用済みポリ袋の形種別の選択が出来ず、袋や箱の中をさがし、しわをのばしながら、使用していて、速やかに出来ない状態を呈してきた。このような欠点を再使用の目的にあった形種選択が、スムーズに出来るように、使用済みポリ袋保持具で解決しようとするものである。
【課題を解決するための手段】
【０００４】
支持具と支え板により支えられている取り付け板に、多数のスリットが入ったスリット板を設け、先端には余った使用済みポリ袋を入れて掛けるフックを設け、左右に押すことにより回転し、使用済みポリ袋を折り畳むことにより生じる弾力性を利用して保持力を保つ事により、問題点を解決している。
【考案の効果】
【０００５】
本考案において、使用済みポリ袋保持具は、使用済みポリ袋の底側を上にして、折り畳んで側面よりスリットに差し込むことで、ポリ袋の存在状態が分かり易く相当数の枚数を保持でき、再使用の際の使用目的に合わせた選択もスムーズなものとなり、使用済みポリ袋を無駄なく能率よく再使用出来る。
又本考案は、スリット形なので使用済みポリ袋の着脱の際の出し入れに何等支障がなく、使用済みポリ袋の着脱作業が楽に出来使いやすい。又本考案は、形状が小型なので置き場所もとらず、キッチンなどの新たな拡大もせずに即使用出来る。
【考案を実施するための最良の形態】
【０００６】
考案の実施について、図面を参照にして説明する。
図１〜５において、使用済みポリ袋保持具は木又はプラスチック、又は軽金属等でなり、巾２センチ、長さ３５センチ程度の長方形状の取り付け板６の上に、巾１５センチ長さ３０センチ程度の多数のスリット３が入ったスリット板２を取り付け、側面より折り畳んだ使用済みポリ袋を差し込み、再使用時には側面より引き出す。先端には巾０．５センチ長さ１０センチ程度の余分な袋を入れて掛けるフック１を設け、下側には、取り付け板６を支える支え板４、後側にはこれらを保持する為の縦５センチ横５センチ高さ５センチ程度の支持具で形成されている。
【図面の簡単な説明】
【０００７】
【図１】本考案の実施形態の使用済みポリ袋保持具の斜視図である。
【図２】実施形態の断面図
【図３】実施形態の正面図
【図４】実施形態の上面図
【図５】本考案の実施形態の使用状態を示す側面図
【符号の説明】
【０００８】
１  フック
２  スリット板
３  スリット
４  支え板
５  止めボルト
６  取り付け板
７  支持ボルト
８  支持具
９  取り付け穴
１０  使用済みポリ袋
【図１】
0003133140.tif 000003
【図２】
0003133140.tif 000004
【図３】
0003133140.tif 000005
【図４】
0003133140.tif 000006
【図５】
0003133140.tif 000007
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
コの字形の支持具８と長方形状の支え板４により支えられている、適宜長さの直線状の棒材の取付板６に、両端には多数のスリット３が入った保持部からなる、長方形状のスリット板２を設け、先端にはフック１を設けた、保持整理することを特徴とする使用済みポリ袋保持具。
(57)【要約】【課題】電動ドリルでの穴あけ作業で、水平方向は水平に、垂直方向は垂直に穴あけ作業をする【解決の手段】電動ドリルに丸型水平器を取り付けることにより穴あけ作業が水平方向は水平に、垂直方向は垂直に確実に穴をあけることが出来る。【選択図】図１
0003133131.tif 000002
【実用新案登録請求の範囲】
【請求項１】
穴あけ用木工電動ドリル、穴あけ用土木電動ドリル、コア抜き用電動ドリル、のストッパポ−ルに丸型水平器をつけるもの
【請求項２】
穴あけ用木工電動ドリル、穴あけ用土木電動ドリル、コア抜き用電動ドリルのサイドハンドルに丸型水平器をつけるもの
【請求項３】
穴あけ用木工電動ドリル、穴あけ用土木電動ドリル、コア抜き用電動ドリル充電式電気ドリル、インパクトドライバ−の本体に丸型水平器を埋め込んだもの
【考案の詳細な説明】
【技術分野】
【０００１】電動ドリルを使用し、水平方向  垂直方向に合わせた穴あけ作業で正確に水平、垂直に穴をあける為のものである。
【背景技術】
【０００２】従来は各個人の感覚で水平方向  垂直方向に、穴あけ作業をしていた。
【考案の開示】
【考案が解決しようとする課題】
【０００３】電動ドリルを使用して穴あけ作業を行うときに水平方向は水平に、垂直方向は垂直に正確に穴あけ作業をする為のものである。
【課題を解決するための手段】
【０００４】図１は電動ドリルのストッパポ−ルに取り付け固定すると水平方向と垂直方向の２方向を見ることができる丸型水平器である．
図２は水平方向に穴あけ作業をするときに、穴あけ用電動ドリルのストッパポ−ルに図１に描いた丸型水平器を取りつけ固定したものである。この電動ドリルの丸型水平器を見て水平方向に穴あけ作業をすると正確に穴を水平にあけることができる。
図３は垂直方向に穴あけ作業をするときに、穴あけ用電動ドリルのストッパポ−ルに図１に描いた丸型水平器をとりつけ固定したものである。この電動ドリルの丸型水平器を見て垂直方向に穴あけ作業をすると正確に穴を垂直にあけることができる。
図４は電動ドリルの本体とサイドハンドルの取り付けバンドの間に挟み、取りつけ固定すると水平方向と垂直方向の２方向を見ることができる。
図５は水平方向に穴あけ作業をするときに電動ドリル本体についている、サイドハンドルを少しゆるめて、本体とサイドハンドルの間に隙間をあけて、図４に描いた丸型水平器をさしこみ固定をしたものである。この電動ドリルの丸型水平器を見て水平方向へ穴あけ作業をすると正確に穴を水平方向へあけることができる。
図６は垂直方向に穴あけ作業をするときに電動ドリル本体についている、サイドハンドルを少しゆるめて、本体とサイドハンドルの間に隙間をあけて図４に描いた丸型水平器をさしこみ固定をしたものである。この電動ドリルの丸型水平器を見て垂直方向へ穴あけ作業をすると正確に穴を垂直方向へあけることができる。
図７は水平方向に穴あけ作業をするとき、電動工具メ−カ−が電動ドリル製造時に、電動ドリル本体に丸型水平器を埋め込んだものである。この丸型水平器を見て水平方向へ穴あけ作業をすると正確に穴を水平方向へあけることができる。
図８は垂直方向に穴あけ作業をするとき、電動工具メ−カ−が電動ドリル製造時に、電動ドリル本体に丸型水平器を埋め込んだものである。この丸型水平器を見て垂直方向へ穴あけ作業をすると正確に穴を垂直方向へあけることができる。
【考案の効果】
【０００５】電動ドリルでの穴あけ作業で、電動ドリルに丸型水平器を取り付けることにより、水平方向は水平に  垂直方向は垂直に、正確に穴をあけることができる。
【図面の簡単な説明】
【０００６】
【図１】電動ドリルのストッパポ−ルに、取りつける丸型水平器の図
0003133131.tif 000003
【図４】電動ドリルの本体とサイドハンドルのバンドの間に挟み込む丸型水平器の図
0003133131.tif 000004
【符号の説明】
【０００７】    １    ストッパポ−ル付け丸型水平器正面
２    ストッパポ−ル付け丸型水平器側面
３    水平方向を見る為の丸型水平器
４    垂直方向を見る為の丸型水平器
５    ストッパポ−ルにさしこむ穴
６    固定ネジ
７    電動ドリル本体
８    水平方向
９    垂直方向
１０    ストッパポ−ル
１１    サイドハンドル
１２    ストッパポ−ルに取り付け穴の水平方向を見る為の丸型水平器
１３    ストッパポ−ルに取り付け穴の垂直方向を見る為の丸型水平器
１４    挟み込み丸型水平器正面
１５    挟み込み丸型水平器側面
１６    固定用さしこみ
１７    サイドハンドル取り付けバンドに挟み込み水平方向を見る為の丸型水平器
１８    サイドハンドル取り付けバンドに挟み込み垂直方向を見る為の丸型水平器
１９    電動ドリル本体に丸型水平器を埋めこみ水平方向を見る為の丸型水平器
２０    電動ドリル本体に丸型水平器を埋めこみ垂直方向を見る為の丸型水平器
【図１】
0003133131.tif 000005
【図２】
0003133131.tif 000006
【図３】
0003133131.tif 000007
【図４】
0003133131.tif 000008
【図５】
0003133131.tif 000009
【図６】
0003133131.tif 000010
【図７】
0003133131.tif 000011
【図８】
0003133131.tif 000012
【手続補正書】
【提出日】平成19年4月20日(2007.4.20)
【手続補正１】
【補正対象書類名】明細書
【補正対象項目名】０００６
【補正方法】変更
【補正の内容】
【０００６】
【図１】  電動ドリルのストッパポ−ルに、取り付ける丸型水平器の図
【図２】  電動ドリルに、図１に描いた丸型水平器を取り付けた図
【図３】  電動ドリルに、図１に描いた丸型水平器を取り付けた図
【図４】  電動ドリルの本体とサイドハンドルのバンド間に挟み込む丸型水平器の図
【図５】  電動ドリルに、図４に描いた丸型水平器を取り付けた図
【図６】  電動ドリルに、図４に描いた丸型水平器を取り付けた図
【図７】  電動ドリル本体に、丸型水平器を埋め込んだ図
【図８】  電動ドリル本体に、丸型水平器を埋め込んだ図
(57)【要約】      （修正有）【課題】通常の保温用膝サポーターを膝部に装着した場合、歩行などの日常行動によって、サポーターのズリ落ちを防止する。【解決手段】ズボン下着の膝部の上方部の位置に、表面を合成繊維糸でギザギザに起毛処理した布テープを該下着の外周表面の一部分に縫いつけ、保温用膝サポーターの上部部分を該テープに密着させる。【選択図】図４
0003133136.tif 000002
【実用新案登録請求の範囲】
【請求項１】
ズボン下着の膝部の上方部に位置する外周の部分に保温用膝サポーターを固定するため、表面を合成繊維糸でギザギザに起毛処理した布テープを縫い付けてなるズボン下着。
【考案の詳細な説明】
【技術分野】
【０００１】本考案は，通常の保温用膝サポーターを膝部に装着した場合、歩行などの日常行動によって，該サポーターが膝の下部にズリ落ちるため，それを防止するためのズボン下着。
【背景技術】
【０００２】通常の保温用膝サポーターは伸縮性を有し、その締め付け作用を利用しズリ落ち防止を図っているが、ズリ落ちは防止できないうえ、締め付け感が気になる。また、毛糸の保温用膝サポーターは、とくにズリ落ちやすく、それを防止するためにはガーターで吊り下げる方法があるが、男性の場合は使用できない。また、保温用サポーター付きの肌着としては実用新案登録第３０３５３０６号がある。
【考案の開示】
【考案が解決しようとする課題】
【０００３】本考案は、通常の保温用膝サポーターを膝部に装着した場合、歩行などの日常行動によって、該サポーターはズリ落ちやすく、手で元の位置に戻す動作を何度も繰り返さなければならないという難点がある。また、前記実用新案登録第３０３５３０６号は肌着の身体部全体の要所部分に保温用サポーターを組み込んで一体化したもので、他種のサポーターに対応できないうえ、膝専用ではないという課題がある。
【課題を解決するための手段】
【０００４】このため、請求項１にあるように、通常のズボン下着の膝部の上方数センチメートルの位置に、表面を合成繊維糸でギザギザに起毛処理した布テープを該下着の一部分に縫いつけ、保温用膝サポーターの上部部分を該テープに密着させて該サポーターのズリ落ちを防止するものである。【０００５】さらに、５分長ズボン下着の下端部の一部分に前記テープを縫いつけ、前記サポーターの上端部を該テープに密着させて該サポーターのズリ落ちを防止するものである。
【考案の効果】
【０００６】本考案の保温用膝サポーターのズリ落ち防止ズボン下着は、下着の機能をそのまま生かし、該下着の一部分に前記の布テープを縫い付けるだけで保温用膝サポーターを安定的に使用することができるうえ、多種類の保温用膝サポーターに対応できるというメリットがある。
【考案を実施するための最良の形態】
【０００７】以下，本考案を実施するための最良の形態を，図面を参照しながら，具体的に説明する。図１は、通常のズボン下着の実施例で該下着１ａの膝部の上方数センチメートルの位置に、該下着の外周表面の外側と内側に表面を合成繊維糸でギザギザに起毛処理した布テープ２を縫い付けたズボン下着の斜視図である。該テープに該サポーターの上端部を密着して該サポーターを装着すると、該テープの表面のギザギザの起毛繊維が該サポーターの繊維に絡まってズリ落ちを防止する。本実施例では該テープを該下着に２箇所設けたが本実施例に限定するものではない。【０００８】図２は、５分長下着の実施例で該下着１ｂの下端部外周表面の外側と内側に前記テープを縫い付けた斜視図である。本実施例では、該下着の後部を前部より長くしているが、これは該下着を身体に装着すると後部がセリ上がるため該下着を身体に装着した状態で、該下着の下端部が水平になるようにするためであるが、本実施例に限定するものではない。例えば、該下端部は水平にした形状のものでもよい。
本実施例においても前記テープを該下着に２箇所設けたが本実施例に限定するものではない。
【図面の簡単な説明】
【０００９】
【図１】  本考案の実施例を示す、通常のズボン下着の場合の斜視図である。
【図２】  他の実施例を示す、ズボン下着の場合の斜視図である。
【図３】  本考案の通常のズボン下着と保温用膝サポーターの使用状況図である。
【図４】  他の実施例の使用状況図である。
【符号の説明】
【００１０】  １ａ  通常のズボン下着の本体
１ｂ  ５分長下着の本体
２  表面を合成繊維糸でギザギザに起毛処理した布テープ
３  保温用膝サポーター
【図１】
0003133136.tif 000003
【図２】
0003133136.tif 000004
【図３】
0003133136.tif 000005
【図４】
0003133136.tif 000006
(57)【要約】【課題】  圧雪された雪でも安全にかつ容易に雪を切り崩す、簡単な構造のスピード雪割機を提供すること。【解決手段】  本考案のスピード雪割機は、適度な幅の雪切板と、雪切板に固着した連結棒と、連結棒に固着した把手を持ち、さらに雪切板と連結棒に支持板を固着してフレームを構成し、雪切板の下端には鋭利な切断歯を備えている。【選択図】図１
0003133133.tif 000002
【実用新案登録請求の範囲】
【請求項１】
下端に切断歯を有する適度な幅の雪切板の上端中央部に、連結棒を固着し、この連結棒の上端に、把手を固着し、さらに、雪切板の上端の左右から、連結棒に支持板を固着して、枠体としたことを特徴とするスピード雪割機
【考案の詳細な説明】
【技術分野】
【０００１】  本考案は、安全に雪を切り崩し簡単に除雪をするためのスピード雪割機に関する。
【背景技術】
【０００２】  突切刃の両端にＵ字形に形成された背筋部の端部が溶着され、それらが内筒及び外筒によって溶着またはボルト結合されているもの（特許文献１）が知られている。【０００３】
【特許文献１】  実開  昭５９−１９２９１４号
【考案の開示】
【考案が解決しようとする課題】
【０００４】  雪国において、屋根に積もった雪は、スコップやスノーダンプで落としているのであるが、大量の雪の場合や、雪が固まっている場合は、これらの道具では、大変な労力を必要とし、かつ危険を伴い、非常に困難な作業となっている。【０００５】  本考案は、このような場合にも、簡単な構造の道具で、安全に雪を切り崩し、容易に除雪ができるようにしたものである。
【課題を解決するための手段】
【０００６】  本考案は、適度な幅の雪切板と、雪切板の上端中央部に固着した連結棒と、連結棒の上端に固着した把手を持ち、さらに雪切板の上端の左右と連結棒に、長方形、Ｌ字形、円弧形などの任意形状の支持板を固着することにより、図１に示すような三角形状、あるいは四角形状、半円形状などのフレームを構成し、雪切板の下端に鋭利な切断歯を備えたことを特徴とするスピード雪割機である。
【考案の効果】
【０００７】  本考案のスピード雪割機は、先端縁に鋭利な切断歯を持っているため、圧雪状態でも突き刺すだけで、容易に雪を割ることができる。また、適度な幅の雪切板と連結棒を支持板により固着し、フレームを構成しているため、強度を保持するとともに、作業者の体重を載せて突き刺すことで、固めの圧雪状態でも割ることができ、大量の除雪を容易にすることができる。
【図面の簡単な説明】
【０００８】
【図１】  正面図
【図２】  右側面図
【図３】  右側面図の拡大図
【図４】  平面図
【図５】  底面図
【符号の説明】
【０００９】  １    把手
２    連結棒
３    支持板
４    雪切板
５    切断歯
【図１】
0003133133.tif 000003
【図２】
0003133133.tif 000004
【図３】
0003133133.tif 000005
【図４】
0003133133.tif 000006
【図５】
0003133133.tif 000007
0003133133.tif 000008
0003133133.tif 000009
【手続補正書】
【提出日】平成19年4月23日(2007.4.23)
【手続補正１】
【補正対象書類名】図面
【補正対象項目名】全図
【補正方法】変更
【補正の内容】
【図１】
0003133133.tif 000010
【図２】
0003133133.tif 000011
【図３】
0003133133.tif 000012
【図４】
0003133133.tif 000013
【図５】
0003133133.tif 000014